(57)【要約】【課題】簡易な駆動系機構によって、可動部材の動きに更なる変化を与えると共に、複数の可動部材を連動せしめることの出来る、新規な構造の遊技機を提供すること。【解決手段】第一の可動部材４８を移動可能に配設すると共に、駆動源１１６の駆動力による第一の可動部材４８の移動を静止位置と移動端位置との間で許容する一方、緩衝部材１０４を第一の可動部材４８が移動端位置に移動せしめられる前に第一の可動部材４８と当接せしめられる位置で、且つ、第一の可動部材４８の移動端位置への移動方向と反対方向の付勢力が及ぼされた状態で配設すると共に、第一の可動部材４８の緩衝部材１０４への当接により、緩衝部材１０４を第一の可動部材４８の移動方向と略同じ方向に移動せしめるようにした。【選択図】図３
2011200712.tif 000002
【特許請求の範囲】
【請求項１】
遊技演出に関連して移動せしめられる複数の可動部材を表面パネル上に備えた遊技機において、
前記可動部材としての第一の可動部材を前記表面パネル上で移動可能に配設すると共に、該第一の可動部材を駆動せしめる駆動力を生ずる駆動源を設けて、該駆動源の駆動力によって該第一の可動部材の移動を静止位置と移動端位置との間で許容する一方、前記可動部材としての緩衝部材を、該表面パネル上において該第一の可動部材が該移動端位置に位置せしめられるよりも前に該第一の可動部材と当接せしめられる位置で且つ該第一の可動部材の該移動端位置への移動方向と略同じ方向に変位可能に配設すると共に、該緩衝部材を該第一の可動部材の該移動端位置への移動方向と反対方向に向けて付勢することによって、該静止位置から該移動端位置方向へ移動せしめられた該第一の可動部材が該移動端位置に到達する前に該第一の可動部材を該緩衝部材と当接せしめて、該緩衝部材を移動せしめるようにしたことを特徴とする遊技機。
【発明の詳細な説明】
【技術分野】
【０００１】
本発明は、遊技演出に関連して移動せしめられる可動部材を備えた遊技機に関するものである。
【背景技術】
【０００２】
従来から、遊技者から視認可能な表面パネル上に可動部材が設けられたパチンコ機やスロットマシン等の遊技機が知られている。例えば、特許文献１に記載の如きパチンコ機が、それである。このような遊技機においては、例えば、何等かの特別な遊技状態が発生した場合には、それまで静止せしめられていた可動部材を突然に動かすなどして遊技者に変化と驚きを与えて、遊技の興趣を高めるようにされている。
【０００３】
そして、かかる可動部材の移動による演出効果を一層効果的に得るためには、例えば、一見するだけでは動くように見えない可動部材が突然に動かされたり、遊技者の予期せぬ方向に動かされるなどのように、遊技者の予測に反した態様で動かされることが好ましい。
【先行技術文献】
【特許文献】
【０００４】
【特許文献１】特開２００１−２４６０８９号公報
【発明の概要】
【発明が解決しようとする課題】
【０００５】
ここにおいて、本発明は上述の如き事情を背景として為されたものであって、その解決課題とするところは、遊技の興趣の更なる向上を図り得る、新規な構造の遊技機を提供することにある。
【課題を解決するための手段】
【０００６】
以下、前述の如き課題を解決するために為された本発明の態様を記載する。なお、以下に記載の各態様において採用される構成要素は、可能な限り任意の組み合わせで採用可能である。
【０００７】
すなわち、本発明は、遊技演出に関連して移動せしめられる複数の可動部材を表面パネル上に備えた遊技機において、可動部材としての第一の可動部材を表面パネル上で移動可能に配設すると共に、第一の可動部材を駆動せしめる駆動力を生ずる駆動源を設けて、駆動源の駆動力によって第一の可動部材の移動を静止位置と移動端位置との間で許容する一方、可動部材としての緩衝部材を、表面パネル上において第一の可動部材が移動端位置に位置せしめられるよりも前に第一の可動部材と当接せしめられる位置で且つ第一の可動部材の移動端位置への移動方向と略同じ方向に変位可能に配設すると共に、緩衝部材を第一の可動部材の移動端位置への移動方向と反対方向に向けて付勢することによって、静止位置から移動端位置方向へ移動せしめられた第一の可動部材が移動端位置に到達する前に第一の可動部材を緩衝部材と当接せしめて、緩衝部材を移動せしめるようにしたことを、特徴とする。
【０００８】
このようにすれば、移動する第一の可動部材によって緩衝部材を動かすことが出来て、緩衝部材を可動部材として簡易な構成をもって実現することが可能となる。
【図面の簡単な説明】
【０００９】
【図１】本発明の一実施形態としてのパチンコ機を示す正面図。
【図２】同パチンコ機の遊技盤を示す正面図。
【図３】同パチンコ機の可動部材を示す要部拡大正面図。
【図４】落下部材を示す拡大背面図。
【図５】駆動機構を取り除いたセンター飾りを示す要部拡大背面図。
【図６】図５におけるＶＩ−ＶＩ断面モデル図。
【図７】図５におけるＶＩＩ−ＶＩＩ断面モデル図。
【図８】緩衝部材を説明するための断面モデル図。
【図９】駆動機構を備えたセンター飾りを示す要部拡大背面図。
【図１０】可動部材および案内路を示す要部拡大説明図。
【図１１】可動部材の駆動状態を示す要部拡大図。
【発明を実施するための形態】
【００１０】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面、裏面および前面、後面についても、原則として、遊技者側を表面および前面というものとする。
【００１１】
図１には、本発明の一実施形態として、遊技機としてのパチンコ機１０が示されている。このパチンコ機１０は、縦長な方形状に枠組み形成された外枠１２を備えている。外枠１２には、その一側において開閉自在に軸支された状態で、パチンコ機の主要構成部の略全てが集約して設けられる中枠１４が組み付けられている。また、中枠１４の表側には、中枠１４に対して裏側から取り付けられた遊技盤１６を透視保護するためのガラス板を備えたガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００１２】
遊技盤１６は、図２に示すように、表面に合成樹脂製のシートが被着された表面パネルとしての遊技板３１を備えており、かかる遊技板３１の表面側に固定されたガイドレール３２によって囲まれた略円形の遊技領域３０には、その略中央部分において、遊技板３１の裏面から組付けられた図柄表示装置としての液晶表示器の表示画面３４が遊技者に視認可能に配設されている。そして、かかる表示画面３４の下方において、始動入賞装置３６や特別可変入賞装置３８等の各種構造物が固定的に設けられている。なお、特に本実施形態においては、図柄表示装置として液晶表示器を用いているが、その他ＣＲＴやＬＥＤを用いた表示器や、ドラムユニットなどを用いることも可能である。
【００１３】
このような遊技領域３０に向けて発射された遊技球は、遊技領域３０を流下せしめられることとなる。そして、遊技球が始動入賞装置３６に入賞すると、表示画面３４において複数の変動図柄（図示せず）の変動表示が開始され、それら複数の変動図柄の変動表示が所定時間行われる。その後、複数の変動図柄が特定の停止表示態様で停止表示された場合には、所謂大当たり遊技状態が発生し、通常の遊技状態では特別可変入賞装置３８の入口を塞いでいる扉４０が予め定められた作動条件に従って開閉作動せしめられるようになっている。これにより、特別可変入賞装置３８の入口が開放されて、特別可変入賞装置３８への遊技球の入賞が可能となり、その結果、遊技者は通常の遊技状態では得ることができない利益（賞球）を得ることが可能となる。
【００１４】
また、表示画面３４の周囲には、表示画面３４を修飾するためのセンター飾り４２が配設されている。センター飾り４２は、貫通孔４４を有する取付板部４５に、後述する第一の可動部材としての落下部材４８、第二の可動部材としての揺動部材５０、および図示しないＬＥＤなどが設けられて構成されている。貫通孔４４は、表示画面３４に対応する大きさおよび形状をもって取付板部４５に貫設されており、貫通孔４４を通じて、遊技盤１６の裏側に配設された液晶表示器の表示画面３４が遊技者から視認可能とされている。そして、遊技板３１に対して前述のガイドレール３２、始動入賞装置３６等が取り付けられると共に、遊技釘（図示せず）が打ち込まれることによって、遊技領域３０が構成されている。
【００１５】
また、センター飾り４２における上方の部位には、左右方向に延びて前方に突出する庇４６が形成されており、遊技球が表示画面３４の前面を流下することの無いようにされている。
【００１６】
そして、図３にも示すように、センター飾り４２における貫通孔４４の右側には、第一の可動部材としての落下部材４８が上下方向に移動可能に配設されていると共に、第二の可動部材としての揺動部材５０が左右方向に揺動可能に配設されている。これら落下部材４８および揺動部材５０は、駆動変位せしめられる前の静止位置（図３の位置）において、取付板部４５に設けられた装飾部材５２から連続する略半円弧形状を形成しており、装飾部材５２、落下部材４８、揺動部材５０を含んで、恰も一体の部材のような外観を呈している。
【００１７】
図４に、落下部材４８の裏面を示す。落下部材４８の裏面における略上端部には、上側脚部５４ａ，５４ｂが設けられている一方、高さ方向の略中間部には、下側脚部５６ａ，５６ｂが設けられている。これらの上下側脚部５４ａ，５４ｂ，５６ａ，５６ｂは何れも略同様の構造とされており、対向して後方に突出する板形状とされている。なお、水平方向で落下部材４８の内側に位置する上側脚部５４ａおよび下側脚部５６ｂは、鉛直方向で略一直線上に配設されている。また、下側脚部５６ａ，５６ｂの対向面間距離は、上側脚部５４ａ，５４ｂの対向面間距離に比してやや小さくされている。そして、これら上側脚部５４ａ，５４ｂおよび下側脚部５６ａ，５６ｂには、水平方向に延びて対向面間に亘るピン５８，６０が設けられている。
【００１８】
さらに、落下部材４８の裏面には、後方に突出する伝達軸６２が一体的に形成されている。伝達軸６２は、水平方向で上側脚部５４ａ，５４ｂの略中間となる位置で、且つ、鉛直方向で上側脚部５４ａ，５４ｂと下側脚部５６ａ，５６ｂの中間となる位置に配設されている。また、伝達軸６２の軸方向寸法は、上下側脚部５４、５６の後方への突出寸法よりも大きくされている。
【００１９】
このような構造とされた落下部材４８は、図５に示すように、上側脚部５４ａ，５４ｂおよび下側脚部５６ａ，５６ｂが、取付板部４５に鉛直方向に延びて形成された上脚案内溝６６ａ，６６ｂおよび下脚案内溝６８ａ，６８ｂによって、鉛直方向に移動可能に取り付けられている。具体的には、図６および図７にモデル的に示すように、取付板部４５における貫通孔４４の右側には、鉛直方向に延びる一対の取付板上溝７０ａ，７０ｂが貫設されていると共に、これら取付板上溝７０ａ，７０ｂの下方には、鉛直方向に延びる一対の取付板下溝７２ａ，７２ｂが貫設されている。そして、取付板上溝７０ａ，７０ｂおよび取付板下溝７２ａ，７２ｂに対応する大きさおよび形状を有するカバー上溝７４ａ，７４ｂおよびカバー下溝７６ａ，７６ｂが貫設されたカバー部材７８が取付板部４５の裏面に取り付けられている。これにより、取付板上溝７０ａ，７０ｂとカバー上溝７４ａ，７４ｂが重ね合わされて上脚案内溝６６ａ，６６ｂが形成されると共に、取付板下溝７２ａ，７２ｂとカバー下溝７６ａ，７６ｂが重ね合わされることによって下脚案内溝６８ａ，６８ｂが形成されている。
【００２０】
そして、上側脚部５４ａ，５４ｂおよび下側脚部５６ａ，５６ｂが取付板部４５の前面から取付板上溝７０ａ，７０ｂ、取付板下溝７２ａ，７２ｂに挿し通されて、取付板部４５の背面に突出せしめられる。そして、上側脚部５４ａ，５４ｂおよび下側脚部５６ａ，５６ｂの突出先端部に対して、それぞれピン５８，６０が配設される。更に、取付板部４５の裏面にカバー部材７８が重ね合わされることによって、上側脚部５４ａ，５４ｂの突出端部がカバー上溝７４ａ，７４ｂに突出しない程度に挿し入れられると共に、下側脚部５６ａ，５６ｂの突出端部がカバー下溝７６ａ，７６ｂに突出しない程度に挿し入れられる。これにより、取付板部４５とカバー部材７８との間に形成された空隙にピン５８、６０が配設された状態で、落下部材４８は、取付板部４５に対して抜け出し不能且つ上下脚案内溝６６，６８に沿って鉛直方向に移動可能に取り付けられている。
【００２１】
さらに、取付板部４５における取付板上溝７０ａと７０ｂの間には、鉛直方向に延びる取付板案内溝８２が貫設されていると共に、カバー部材７８において取付板案内溝８２と対応する位置には、取付板案内溝８２に対応する大きさおよび形状を有するカバー案内溝８４が貫設されており、これら取付板案内溝８２およびカバー案内溝８４が重ね合わされることによって、鉛直方向に延びる軸案内溝８６が形成されている。軸案内溝８６は、伝達軸６２の径寸法よりもやや大きな左右方向幅寸法を有すると共に、上脚案内溝６６ａ，６６ｂの高さ方向略中間部分から、下脚案内溝６８ａ，６８ｂの高さ方向略中間部分に至る程度の上下方向長さ寸法をもって形成されている。そして、落下部材４８の取付板部４５への組み付け状態において、伝達軸６２が軸案内溝８６を通じてカバー部材７８の後方に突出せしめられている。
【００２２】
このように、本実施形態においては、上下脚案内溝６６、６８、および軸案内溝８６を含んで第一の案内路が構成されており、これらの案内溝６６、６８、８６は何れも、互いに平行な状態で鉛直方向に延びるように形成されている。
【００２３】
一方、揺動部材５０は、落下部材４８と連続して略円弧形状を形成する湾曲部８８の表示画面３４側に人形９０が一体的に設けられて構成されている。図５に示すように、揺動部材５０の裏面には、後方に突出する支持軸９２が一体的に形成されており、取付板部４５に貫設された第二の案内路としての円弧状溝９４に挿通せしめられている。
【００２４】
円弧状溝９４は、上方に向けて緩やかに凸となる略円弧形状をもって、取付板部４５に貫設されている。ここにおいて、円弧状溝９４は、一方の端部が軸案内溝８６の略鉛直下方に位置せしめられる一方、他方の端部が軸案内溝８６よりも表示画面３４側に位置せしめられており、軸案内溝８６の鉛直下方から表示画面３４に向けて円弧状に伸び出すような形状とされている。これにより、軸案内溝８６の延び出し方向と円弧状溝９４の延び出し方向が互いに異ならされている。
【００２５】
そして、取付板部４５の裏面には、略三角板形状とされた揺動板９６が取り付けられている。揺動板９６は、頂点にあたる部位の一つが円弧状溝９４に重ね合わされるようにして、かかる頂点の下方に位置せしめられた頂点に形成された揺動軸９８によって、取付板部４５に揺動可能に取り付けられている。これにより、円弧状溝９４に重ね合わされた頂点の部位が円弧状溝９４に沿って揺動可能とされると共に、かかる部位に支持軸９２が固定的に取り付けられることによって、揺動部材５０が、円弧状溝９４に沿って揺動可能とされている。
【００２６】
なお、詳細な図示は省略するが、揺動部材５０には、内部に複数のＬＥＤが設けられている。そして、これらのＬＥＤに電力を供給する給電ケーブルが、取付板部４５に貫設された挿通孔１００を通じて取付板部４５の裏側に引き出されている。そして、揺動板９６には、揺動に際して挿通孔１００を塞ぐことの無いように、切欠１０２が形成されている。
【００２７】
さらに、取付板部４５の前面には、揺動部材５０の右側に、緩衝部材１０４が設けられている。図８にモデル的に示すように、緩衝部材１０４の裏面には、後方に突出する一対の挿通板部１０６ａ，１０６ｂが上下に並んで一体的に形成されており、挿通板部１０６ａ，１０６ｂが、取付板部４５に貫設されて鉛直方向に延びる案内孔１０８を通じて取付板部４５の後方に突出せしめられている。そして、挿通板部１０６ａ，１０６ｂが、取付板部４５の背面において鉛直方向に延びて設けられた案内軸１１０に外挿されることによって、鉛直方向に変位可能に取り付けられている。なお、案内軸１１０は、案内孔１０８のやや下方において後方に突出形成された支持板部１１２に載置されると共に取付板部４５の背面と、取付板部４５の背面に取り付けられた固定部材１１３との間で挟まれることによって取付板部４５に取り付けられている。
【００２８】
さらに、案内軸１１０には、挿通板部１０６ｂと案内孔１０８の下端縁部との間に、コイルスプリング１１４が圧縮状態で外挿されている。これにより、挿通板部１０６ｂに上向きの付勢力が常時及ぼされて、緩衝部材１０４は、挿通板部１０６ａが案内孔１０８の上端縁部に係止された状態で維持されるようになっており、かかる位置が静止位置とされている。
【００２９】
そして、取付板部４５の背面には、落下部材４８および揺動部材５０に駆動力を伝達する駆動機構１１５が設けられている。図９に、駆動機構１１５を備えた状態の取付板部４５を示す。駆動機構１１５は、駆動源としての電動モータ１１６と、第一乃至第四の伝達歯車１１８ａ乃至１１８ｄ、および揺動ロッド１２０を含んで構成されている。
【００３０】
より詳細には、取付板部４５の裏面には、揺動板９６に重ね合わされるようにして、案内部材１２２が取り付けられている。そして、案内部材１２２には、後方に開口して左右方向に延びるスリット１２４を有する略矩形ブロック形状のスライド部材１２６が案内部材１２２によってその両端が案内されて上下動可能に取り付けられている。そして、スライド部材１２６におけるスリット１２４が形成された面と反対側の面（前面）には、前方に突出する駆動軸１２８が形成されている（図５参照）。更に、図面からは必ずしも明かではないが、案内部材１２２には鉛直方向に延びる貫通孔１３０が貫設されており、かかる貫通孔１３０に駆動軸１２８が挿通されている。そして、駆動軸１２８における案内部材１２２からの突出部分が、揺動板９６において揺動軸９８及び支持軸９２が形成されていない残りの頂点部分に所定の長さ寸法をもって貫設された軸挿通孔１３２に挿通されている。
【００３１】
さらに、案内部材１２２の裏側には、第一の伝達歯車１１８ａが回転可能に配設されている。第一の伝達歯車１１８ａは、電動モータ１１６の出力軸に直接に取り付けられている。なお、図示は省略するが、取付板部４５の背面には、駆動機構１１５の略全体を覆うカバー部材が取り付けられるようになっており、電動モータ１１６は、カバー部材の外側に取り付けられて、その出力軸がカバー部材に貫設された貫通孔を通じてカバー部材の内部に突出されるようになっている。そして、カバー部材の内部に突出せしめられた電動モータ１１６の出力軸に第一の伝達歯車１１８ａが取り付けられるようになっており、第一の伝達歯車１１８ａは、カバー部材によって支持されるようになっている。また、図面からは明かではないが、第一の伝達歯車１１８ａには、前方に突出する棒状の係合突部が形成されており、かかる係合突部が、スライド部材１２６のスリット１２４に挿し入れられている。
【００３２】
そして、第一の伝達歯車１１８ａから上方に向けて、第二乃至第四の伝達歯車１１８ｂ〜１１８ｄが順に回転可能に配設されて直列的に噛合せしめられており、電動モータ１１６の駆動力が第四の伝達歯車１１８ｄにまで伝達されるようになっている。ここにおいて、これらの伝達歯車１１８ａ乃至１１８ｄは、第一の伝達歯車１１８ａが一回転することによって、第四の伝達歯車１１８ｄも一回転するギア比に設定されている。なお、本実施形態においては、電動モータ１１６として、従来公知のＤＣモータが用いられており、一方向にのみ回転可能とされている。
【００３３】
そして、第四の伝達歯車１１８ｄには、前方に突出するカム部１３６が形成されており、かかるカム部１３６に、伝動ロッドとしての揺動ロッド１２０の当接部１４０が当接せしめられるようになっている。
【００３４】
揺動ロッド１２０は、所定の長さ寸法をもって延びる略ロッド状の部材とされており、一方の端部には、後方に突出するロッド状の当接部１４０が形成されている一方、他方の端部には、矩形枠体形状とされた枠状部１４２が一体的に形成されている。そして、揺動ロッド１２０の長手方向中間部分からやや当接部１４０寄りの部位には軸孔が貫設されており、かかる軸孔に対して、取付板部４５に取り付けられた支持部材１４４の軸１４６が挿し通されることによって、揺動ロッド１２０は、軸１４６を中心に回動可能に取り付けられていると共に、枠状部１４２が、伝達軸６２に外挿されて係合せしめられている。
【００３５】
なお、図示は省略するが、落下部材４８の内部には電子部品としての複数のＬＥＤが設けられており、落下部材４８の裏面に接続された図示しない平形ケーブルによって電力が供給されるようになっている。そして、かかる平形ケーブルは、伝達軸６２の上側から軸案内溝８６に挿通配置されて、取付板部４５の裏面に延び出されて、遊技板３１の裏面に設けられた電源装置に電気的に接続されている。
【００３６】
このような構造とされた揺動ロッド１２０は、第四の伝達歯車１１８ｄのカム部１３６に当接部１４０が当接せしめられるようになっている。ここにおいて、カム部１３６は略半円形状とされており、第四の伝達歯車１１８ｄが回転（本実施形態においては、図９中、反時計回り）せしめられることによって、カム部１３６と当接部１４０の当接状態と非当接状態が交互に発現せしめられるようになっている。
【００３７】
なお、カム部１３６の回転方向において当接部１４０に当接せしめられる非円周部分には、カム部１３６の非形成部に向けて僅かに凸となる湾曲面１３８が形成されており、カム部１３６が当接部１４０に当接せしめられた際には、当接部１４０に対して下方向の分力を及ぼすことによって当接部１４０をカム部１３６の外周部分へ滑らかに案内するようにされている。そして、当接部１４０がカム部１３６の外周部分へ案内されつつ下方に案内されることによって、枠状部１４２が上方に変位せしめられると共に、第四の伝達歯車１１８ｄが停止せしめられて、カム部１３６の外周部分による当接部１４０の係止状態が維持されることによって、枠状部１４２が上方の移動端位置に維持されるようになっている。
【００３８】
なお、図５に示すように、第一の伝達歯車１１８ａに係合せしめられるスライド部材１２６は、静止状態において下方の移動端に位置せしめられており、揺動板９６の支持軸９２が円弧状溝９４の外側端部に位置せしめられるようになっている。これにより、揺動部材５０は、静止状態において移動方向の右端部（図３の位置）に位置せしめられるようになっており、かかる位置が揺動部材５０の静止位置とされている。一方、第四の伝達歯車１１８ｄに当接せしめられる揺動ロッド１２０は、静止状態において当接部１４０がカム部１３６に当接せしめられており、枠状部１４２が上方の移動端に位置せしめられるようになっている。これにより、落下部材４８は、揺動ロッド１２０に支持されて、静止状態において移動方向の上端部（図３の位置）に位置せしめられるようになっており、かかる位置が落下部材４８の静止位置とされている。
【００３９】
そして、本実施形態においては、図１０にモデル的に示すように、落下部材４８が静止位置において軸案内溝８６および上下脚案内溝６６，６８の上側部分に重ね合わされて位置せしめられると共に、揺動部材５０が静止位置において落下部材４８の下方に隣接して、正面視において落下部材４８から下方に延び出した軸案内溝８６および下脚案内溝６８ａ，６８ｂに重ね合わされて位置せしめられている。これにより、落下部材４８の案内路を構成する軸案内溝８６および上下脚案内溝６６，６８の略全体が、落下部材４８および揺動部材５０によって、遊技者から視認困難に隠されている。
【００４０】
さらに、特に本実施形態においては、揺動部材５０は、静止位置において円弧状溝９４と重なり合う部位の正面視の大きさが、円弧状溝９４よりも大きくされている。これにより、静止位置に位置せしめられた揺動部材５０が重ね合わされることによって、円弧状溝９４の略全体が遊技者から視認困難に隠されている。
【００４１】
そして、かかる静止位置から、電動モータ１１６への給電が行なわれて第一の伝達歯車１１８ａが回転せしめられると、第一の伝達歯車１１８ａにおいて前方に突出形成された図示しない係合突部とスリット１２４、および案内部材１２２との案内作用によって、スライド部材１２６が上方へ変位せしめられる。それと共に、スライド部材１２６に設けられた駆動軸１２８と軸挿通孔１３２の案内作用によって、揺動板９６が揺動軸９８を中心に回動せしめられて、支持軸９２が円弧状溝９４に沿って表示画面３４側へ駆動せしめられる。これにより、揺動部材５０が、図１１に示す移動端位置に位置せしめられて、揺動部材５０が重ね合わされていた軸案内溝８６および下脚案内溝６８ａ，６８ｂの下側部分が遊技者から視認可能に現出せしめられる。なお、かかる移動端位置において、揺動部材５０は、その一部が表示画面３４に重なる程度に、表示画面３４側へ変位せしめられていることから、大きな可動範囲を得ることが可能とされている。また、取付板部４５の前面における円弧状溝９４の上方には人形９０の足１４８が固定されており、揺動部材５０が静止位置にある状態では揺動部材５０が重ねられて視認困難とされる一方、揺動部材５０が移動端位置に変位せしめられることによって視認可能に現出せしめられるようになっている。
【００４２】
一方、第四の伝達歯車１１８ｄは、揺動部材５０が表示画面３４側へ変位せしめられて落下部材４８の鉛直下方から外れた時点でカム部１３６と当接部１４０の当接状態が解除されるようになっている。そして、カム部１３６と当接部１４０の当接状態が解除されて、枠状部１４２の下方への変位が許容されることによって、落下部材４８は、上下側脚部５４、５６が上下脚案内溝６６、６８に案内されて、軸案内溝８６に沿って鉛直下方へ自重によって落下するようにされている。
【００４３】
このようにして、自重によって落下せしめられた落下部材４８は、上側脚部５４ａ，５４ｂや下側脚部５６ａ，５６ｂが上下脚案内溝６６、６８の下端縁部に係止される前に、下方に配設された緩衝部材１０４に当接せしめられるようになっている。そして、緩衝部材１０４が下方へ変位せしめられて、コイルスプリング１１４が圧縮せしめられる。これにより、コイルスプリング１１４の付勢力によって、落下部材４８の下方への落下が緩衝的に制限されて、落下部材４８および緩衝部材１０４は、図１１に示す移動端位置に移動せしめられるようになっている。更に、本実施形態においては、自重により落下する落下部材４８によって緩衝部材１０４を動かすことが出来て、緩衝部材１０４を可動部材として簡易な構成をもって実現することが可能とされている。
【００４４】
なお、前述のように、軸案内溝８６の下側部分には、静止位置に位置せしめられた揺動部材５０が重ねられている。そして、揺動部材５０が変位位置に変位せしめられることによって軸案内溝８６の全体が現出せしめられるようになっており、落下部材４８は、揺動部材５０が変位することによって形成された領域内に変位せしめられるようになっている。これにより、落下部材４８の駆動領域を有利に確保して、優れたスペース効率をもって落下部材４８および揺動部材５０を配設することが可能とされている。
【００４５】
そして、落下部材４８および揺動部材５０が移動端位置に変位せしめられた後に、電動モータ１１６が更に回転せしめられると、カム部１３６と当接部１４０が再び当接せしめられて、当接部１４０が下方へ案内されることによって枠状部１４２が上方へ変位せしめられる。これにより、落下部材４８が上方へ変位せしめられて、静止位置に復帰せしめられる。
【００４６】
これと共に、第一の伝達歯車１１８ａが更に回転せしめられると、スライド部材１２６は上方の移動端に位置せしめられた後に、下方へ変位せしめられる。これにより、揺動板９６が円弧状溝９４に沿って取付板部４５の外側へ回動せしめられて、揺動部材５０が静止位置に復帰せしめられる。
【００４７】
ここにおいて、本実施形態においては、静止位置に位置せしめられた落下部材４８および揺動部材５０によって、落下部材４８を案内する軸案内溝８６および上下脚用溝６６，６８の略全体が遊技者から視認困難とされている。これにより、落下部材４８を取付板部４５に固定的に設けられた部材のように見せて、落下部材４８が移動せしめられる可動部材であること、およびその移動方向を遊技者に予測させ難くすることが出来る。これにより、一見して可動部材とは判別し難い落下部材４８が駆動せしめられた際に遊技者に与える驚きをより大きくして、更なる演出効果の向上を図ることが出来る。
【００４８】
そして、特に本実施形態においては、落下部材４８から延び出す長さ寸法を有する軸案内溝８６、上下脚用溝６６、６８を遊技者から視認困難にすることが可能とされている。これにより、外観を損なうおそれを可及的に低減しつつ、大きな移動範囲を得ることが出来るのである。また、遊技機に設けられる可動部材は、多くの場合には静止位置に位置せしめられて、特定の遊技状態が生じた場合に移動せしめられるものが多い。そして、本実施形態によれば、落下部材４８が静止位置に位置せしめられた状態下で、軸案内溝８６、上下脚用溝６６，６８を隠蔽出来ることから、かかる外観の向上効果をより有効に得ることが出来るのである。
【００４９】
さらに、特に本実施形態においては、揺動部材５０を案内する円弧状溝９４についても、静止位置に位置せしめられた揺動部材５０によって、その略全体が隠蔽されるようになっている。これにより、揺動部材５０が移動せしめられる可動部材であること、およびその移動方向を遊技者に予測困難にして、揺動部材５０が駆動せしめられた際に遊技者に与える驚きをより大きくすることが出来るのである。
【００５０】
更にまた、本実施形態においては、静止位置に位置せしめられた落下部材４８および揺動部材５０が、取付板部４５に設けられた装飾部材５２から連続する形状をもって形成されている。これにより、恰も取付板部４５に固定された単一の装飾部材のように見える落下部材４８と揺動部材５０を互いに分離して、それぞれ異なる方向に移動せしめることによって、遊技者に与える驚きをより大きくすることが出来る。
【００５１】
以上、本発明の一実施形態について詳述してきたが、これはあくまでも例示であって、本発明は、かかる実施形態における具体的な記載によって、何等、限定的に解釈されるものではない。
【００５２】
例えば、落下部材４８や揺動部材５０を案内する案内路の具体的な形状は何等限定されることはなく、落下部材４８を円弧状に移動せしめる等しても良いし、揺動部材５０を直線的に移動せしめる等しても良い。また、前述の実施形態においては、第一の案内路が軸案内溝８６、上下脚用溝６６，６８の複数の溝によって構成されていたが、例えば、第一の案内路を一本の溝で構成するなどしても良いし、溝のみならず、案内レールなどを設けて構成するなどしても良い。
【００５３】
また、前述の実施形態においては、落下部材４８および揺動部材５０が駆動機構１１５によって直接的に連動せしめられていたが、例えば、落下部材４８を駆動せしめる駆動源と揺動部材５０を駆動せしめる駆動源をそれぞれ設けると共に、それらの各駆動源をソフトウェアによって電気的に制御する等して、間接的に連動せしめる等しても良い。更に、落下部材４８の移動は、必ずしも自由落下に限定されるものではないのであって、例えば、駆動源の駆動力によって下方へ移動せしめる等しても良い。
【００５４】
更にまた、第二の可動部材は、必ずしも一つに限定されることはなく、複数設けるなどしても良い。例えば、前述の実施形態において、軸案内溝８６および上下脚用溝６６，６８を更に上方に延び出すとともに、揺動ロッド１２０の長さ寸法やカム部１３６の案内作動を調節するなどして、落下部材４８の静止位置を軸案内溝８６の中間部分に設定する。そして、前述の揺動部材５０に加えて、更に落下部材４８の上方に可動部材を配設することによって、静止位置において落下部材４８の上方へ延び出す軸案内溝８６および上下脚用溝６６，６８を隠蔽するなどしても良い。
【００５５】
また、前述の実施形態においては、電動モータ１１６は一方向のみに回転可能とされていたが、例えば、両方向に正逆回転可能な電動モータを用いて、落下部材４８を落下させない程度、即ち、カム部１３６と当接部１４０との当接状態が解除されない程度で小刻みに正逆回転せしめることによって、揺動部材５０を小さく揺動せしめる等しても良い。
【００５６】
また、第一の可動部材および第二の可動部材は、遊技機の表面パネル上に配設されていれば良いのであって、前述の如きパチンコ機のセンター飾り上に限定されない。例えば、パチンコ機であれば、前述の実施形態における遊技領域３０上に設けても良いし、更には、遊技板３１上のみならず、遊技板３１を覆うガラス枠１８の枠体部分に設けるなどしても良い。
【００５７】
さらに、本発明は、パチンコ機のみならず、スロットマシン等の遊技機にも広く適用することが可能である。そして、可動部材の配設位置も特に限定されるものではなく、例えばスロットマシンに本発明を適用する場合には、可動部材を配設することが困難なドラムユニット等が配設された部位以外で、遊技者から視認可能な部材の表面パネル上であれば、何等限定されるものではない。
【００５８】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００５９】
なお、上記実施形態から把握できる技術的思想について以下に記載する。
【００６０】
可動部材は支持されつつ移動せしめられることが多く、移動案内のために案内路が設けられることが多い。案内路は、例えばレールや溝、孔などとして形成されるが、予め可動部材の移動方向に沿って配設されている必要がある。そして、大きな移動距離を確保するためには、案内路は可動部材の大きさに比して十分に大きく形成する必要がある。また、可動部材の移動時の姿勢や動きの安定化を図るためには、可動部材を移動方向の両端部分等の複数箇所で支持して案内した方が好ましい。すると、案内路は、可動部材の両端部から移動方向に向けて延び出して形成される必要がある。
【００６１】
ところが、可動部材から延び出した案内路が遊技者に視認されてしまうと、遊技者に対して、それが移動せしめられる部材であることが予測されると共に、案内路の延び出し方向からその移動方向までもが容易に予測されてしまう。それ故、可動部材を移動せしめたとしても遊技者の予測通りの動きを行なうに過ぎず、遊技者に与える演出上の効果に乏しいという問題があった。
【００６２】
さらに、遊技機に設けられる可動部材は、一般的に、特別な遊技状態が生じた場合にのみ移動せしめられるものが多く、通常の遊技状態下では静止状態に維持されることが多い。そして、静止せしめられた可動部材から常に案内路が露出していることは、外観を損なうという問題もあった。
【００６３】
ここにおいて、以下に記載の技術的思想は上述の如き事情を背景として為されたものであって、その解決課題とするところは、外観を損なうことなく可動部材の移動領域を大きく確保すると共に、遊技の興趣の更なる向上を図り得る、新規な構造の遊技機を提供することにある。
【００６４】
（１）遊技機の表面パネル上に第一の可動部材及び第一の可動部材と連動して異なる方向に移動せしめられる第二の可動部材を設けると共に、第二の可動部材の静止位置を、表面パネル上に設けられて第一の可動部材を案内する第一の案内路に重なる領域に設定することによって、第一の可動部材および第二の可動部材によって、第一の案内路の略全体を遊技者から視認困難に隠すようにしたことを、特徴とする。
【００６５】
このようにすれば、外観を損なうことなく、大きな移動領域を確保することが出来る。また、第一の案内路を隠すことによって、遊技者に対して一見して第一の可動部材が移動せしめられる部材であることを判別困難にすると共に、その移動方向を予測困難にすることが出来て、第一の可動部材が移動せしめられた際に遊技者に与える驚きをより大きくすることが出来る。更に、技術的思想（１）においては、第一の案内路を隠す第二の可動部材を、第一の可動部材とは異なる方向に移動せしめることによって、可動部材の移動態様に幅を持たせて、より優れた演出効果を発揮することが出来る。
【００６６】
なお、技術的思想（１）における可動部材の配設位置は、遊技機の表面パネル上であれば何等限定されることは無い。ここにおいて、表面パネルとは、例えば、パチンコ機であれば、遊技盤に形成されて遊技球が転動せしめられる遊技領域や、遊技領域の中央に設けられた液晶表示画面の周りに設けられた装飾枠体の他、遊技盤上のみならず、遊技領域を覆うガラス枠等の周囲枠体の表面なども含む。また、例えば、スロットマシンであれば、ドラムユニットなど可動部材が配設困難な部位以外で遊技者から視認可能な部材の表面であれば良い。このように、技術的思想（１）における表面パネルとは、遊技者から視認可能な部材の表面を構成するパネルであれば、何等限定されない。
【００６７】
また、技術的思想（１）における第一の案内路とは、可動部材の移動方向に延びて可動部材を案内するものであれば特に限定されるものではなく、例えば、孔、溝やガイドレールなど、各種の構造が採用可能である。
【００６８】
また、技術的思想（１）に係るパチンコ機においては、表面パネル上に前記第一の案内路とは異なる方向に延びて第二の可動部材を案内する第二の案内路を形成すると共に、第二の可動部材の正面寸法を第二の案内路の正面寸法より大きくすることによって、第二の可動部材が静止位置に位置せしめられた状態下で第二の案内路の略全体を第二の可動部材で隠すようにする態様が、好適に採用され得る。
【００６９】
このようにすれば、第一および第二の可動部材の静止状態において、第一の可動部材を案内する第一の案内路のみならず、第二の可動部材を案内する第二の案内路も隠すことが出来て、外観上の効果をより高めることが出来る。それと共に、第二の可動部材についても前述の第一の可動部材と同様の効果を得ることが出来る。即ち、第二の案内路を隠すことによって、第二の可動部材が移動せしめられる部材であること、およびその移動方向を遊技者に予測させ難くして、第二の可動部材を移動せしめた際に遊技者に与える驚きをより大きくすることが出来る。
【００７０】
なお、技術的思想（１）において、第二の可動部材の正面寸法が第二の案内路の正面寸法よりも大きいとは、静止状態において少なくとも第二の案内路と重なり合う部位が第二の案内路の略全体に重なる大きさとされれば良いのであって、例えば、第二の可動部材の一部を延び出させて第二の案内路の略全体に重なるような大きさに形成する等しても良い。
【００７１】
（２）前記第二の可動部材の裏面から前記表面パネルに向けて突出する回動軸を設けて該回動軸で該第二の可動部材を支持すると共に、該回動軸を回動せしめることによって該第二の可動部材を回動せしめるようにした技術的思想（１）に記載の遊技機。
【００７２】
このようにすれば、第二の可動部材を案内するための長手状の案内路を設けることが不要とされる。これにより、第二の可動部材を駆動せしめる駆動機構を巧く隠蔽することが出来る。例えば、前記実施形態において、揺動部材５０を案内する円弧状溝９４を設けることなく、支持軸９２を取付板部４５の前方に突出せしめて、支持軸９２で揺動部材５０を支持せしめることによって、支持軸９２を回動軸として用いることが出来る。
【００７３】
（３）前記第一の可動部材及び前記第二の可動部材が、前記静止位置に位置せしめられた状態下で互いに連続する形状とされている技術的思想（１）又は（２）に記載の遊技機。
【００７４】
このようにすれば、第一の可動部材および第二の可動部材を、恰も一体的且つ表面パネルに固定的に設けられた装飾部材のように見せることが出来る。そして、そのような一体の固定部材に見える部材が複数に分割されて互いに異なる方向に移動せしめられることによって、遊技者により大きな驚きを与えることが出来る。例えば、前記実施形態においては、落下部材４８および揺動部材５０の湾曲部８８が、取付板部４５に設けられた装飾部材５２から連続して略円弧形状を形成する形状とされている。
【符号の説明】
【００７５】
１０：パチンコ機、１８：ガラス枠、３１：遊技板、３４：表示画面、４２：センター飾り、４５：取付板部、４８：落下部材、５０：揺動部材、５２：装飾部材、６２：伝達軸、６６ａ：上脚案内溝、６６ｂ：上脚案内溝、６８ａ：下脚案内溝、６８ｂ：下脚案内溝、８６：軸案内溝、８８：湾曲部、９０：人形、９４：円弧状溝、９６：揺動板、９８：揺動軸、１１５：駆動機構、１１６：電動モータ、１１８ａ：第一の伝達歯車、１１８ｄ：第四の伝達歯車、１２０：揺動ロッド、１３６：カム部、１４０：当接部、１４２：枠状部
【図１】
2011200712.tif 000003
【図２】
2011200712.tif 000004
【図３】
2011200712.tif 000005
【図４】
2011200712.tif 000006
【図５】
2011200712.tif 000007
【図６】
2011200712.tif 000008
【図７】
2011200712.tif 000009
【図８】
2011200712.tif 000010
【図９】
2011200712.tif 000011
【図１０】
2011200712.tif 000012
【図１１】
2011200712.tif 000013